(57)【特許請求の範囲】
【請求項１】
無線通信システムにおける移動性管理エンティティ（ＭＭＥ）によりハンドオーバーを遂行する方法であって、
ターゲットｅＮＢ（evolved node B）の識別子（ＩＤ）及びクローズド加入者グループ（ＣＳＧ）ＩＤを含むハンドオーバー要求メッセージをソースｅＮＢから受信するステップと、
前記ＣＳＧ  ＩＤを含むハンドオーバー要求メッセージを前記ターゲットｅＮＢに送信するステップと、
前記ターゲットｅＮＢから前記ＣＳＧ  ＩＤを含むハンドオーバー要求確認応答メッセージを受信するステップと、
前記ハンドオーバー要求メッセージに前記ＣＳＧ  ＩＤが含まれているか否かに基づいて前記ターゲットｅＮＢのアクセスモードを判断し、前記判断されたアクセスモードがＣＳＧに含まれているＵＥに対してアクセスすることを許可するモードである場合、前記ＣＳＧ  ＩＤが前記ターゲットｅＮＢに対して許可されたものであるか否かを検証するステップと、
前記検証の結果に基づいてハンドオーバーコマンドメッセージを前記ソースｅＮＢに送信するステップと、
を有することを特徴とする方法。
【請求項２】
前記ＣＳＧ  ＩＤは、ターゲットセルがＣＳＧセル又はハイブリッドセルである場合に前記ハンドオーバー要求メッセージに含まれ、前記アクセスモードは、前記ターゲットセルが前記ハイブリッドセルである場合に前記ハンドオーバー要求メッセージに含まれることを特徴とする請求項１に記載の方法。
【請求項３】
前記ハンドオーバー要求メッセージは、前記アクセスモードがハイブリッドアクセスモードである場合、前記ＵＥがＣＳＧメンバーであるか否かを表すＣＳＧメンバーシップ指示子を含むことを特徴とする請求項１に記載の方法。
【請求項４】
無線通信システムにおけるターゲットｅＮＢ（evolved node B）によりハンドオーバーを遂行する方法であって、
ターゲットｅＮＢのクローズド加入者グループ（ＣＳＧ）識別子（ＩＤ）を含むハンドオーバー要求メッセージを移動性管理エンティティ（ＭＭＥ）から受信するステップと、
前記ＣＳＧ  ＩＤを含むハンドオーバー要求確認応答メッセージを前記ＭＭＥ又は前記ターゲットｅＮＢのゲートウェイに送信するステップと、
を有し、
前記ターゲットｅＮＢのアクセスモードは、前記ＭＭＥ又は前記ゲートウェイにより、前記ハンドオーバー要求メッセージに前記ＣＳＧ  ＩＤが含まれているか否かに基づいて判断され、前記判断されたアクセスモードがＣＳＧに含まれているＵＥに対してアクセスすることを許可するモードである場合、前記ＣＳＧ  ＩＤが前記ターゲットｅＮＢに対して許可されたものであるか否かが検証されることを特徴とする方法。
【請求項５】
前記ＣＳＧ  ＩＤは、ターゲットセルがＣＳＧセル又はハイブリッドセルである場合に前記ハンドオーバー要求確認応答メッセージに含まれることを特徴とする請求項４に記載
の方法。
【請求項６】
無線通信システムにおけるターゲットｅＮＢ（evolved node B）のゲートウェイによりハンドオーバーをサポートする方法であって、
移動性管理エンティティ（ＭＭＥ）から受信されたターゲットｅＮＢのクローズド加入者グループ（ＣＳＧ）識別子（ＩＤ）を含むハンドオーバー要求メッセージを前記ターゲットｅＮＢに伝達するステップと、
前記ターゲットｅＮＢから前記ＣＳＧ  ＩＤを含むハンドオーバー要求確認応答メッセージを受信するステップと、
前記ハンドオーバー要求メッセージに前記ＣＳＧ  ＩＤが含まれているか否かに基づいて前記ターゲットｅＮＢのアクセスモードを判断し、前記判断されたアクセスモードがＣＳＧに含まれているＵＥに対してアクセスすることを許可するモードである場合、前記ＣＳＧ  ＩＤが前記ターゲットｅＮＢに対して許可されたものであるか否かを検証するステップと、
を有することを特徴とする方法。
【請求項７】
前記検証を遂行した結果に基づき、前記ＵＥの前記ターゲットｅＮＢへのハンドオーバーが遂行されることを特徴とする請求項６に記載の方法。
【請求項８】
無線通信システムの移動性管理エンティティ（ＭＭＥ）であって、
データを送受信する送受信部と、
ソースｅＮＢ（evolved node B）からターゲットｅＮＢの識別子（ＩＤ）及びクローズド加入者グループ（ＣＳＧ）ＩＤを含むハンドオーバー要求メッセージを受信し、前記ＣＳＧ  ＩＤを含むハンドオーバー要求メッセージを前記ターゲットｅＮＢに送信し、前記ターゲットｅＮＢから前記ＣＳＧ  ＩＤを含むハンドオーバー要求確認応答メッセージを受信して、前記ハンドオーバー要求メッセージに前記ＣＳＧ  ＩＤが含まれているか否かに基づいて前記ターゲットｅＮＢのアクセスモードを判断し、前記判断されたアクセスモードがＣＳＧに含まれているＵＥに対してアクセスすることを許可するモードである場合、前記ＣＳＧ  ＩＤが前記ターゲットｅＮＢに対して許可されたものであるか否かを検証し、前記検証の結果に基づいてハンドオーバーコマンドメッセージを前記ソースｅＮＢに送信するように制御するプロセッサと、
を含むことを特徴とする移動性管理エンティティ。
【請求項９】
前記ＣＳＧ  ＩＤは、ターゲットセルがＣＳＧセル又はハイブリッドセルである場合に前記ハンドオーバー要求メッセージに含まれ、前記アクセスモードは、前記ターゲットセルが前記ハイブリッドセルである場合に前記ハンドオーバー要求メッセージに含まれることを特徴とする請求項８に記載の移動性管理エンティティ。
【請求項１０】
前記ハンドオーバー要求メッセージは、前記アクセスモードがハイブリッドアクセスモードである場合、前記ＵＥがＣＳＧメンバーであるか否かを表すＣＳＧメンバーシップ指示子を含むことを特徴とする請求項８に記載の移動性管理エンティティ。
【請求項１１】
無線通信システムのターゲットｅＮＢ（evolved node B）であって、
データを送受信する送受信部と、
前記ターゲットｅＮＢのクローズド加入者グループ（ＣＳＧ）識別子（ＩＤ）が含まれたハンドオーバー要求メッセージを移動性管理エンティティ（ＭＭＥ）から受信し、前記ＣＳＧ  ＩＤが含まれたハンドオーバー要求確認応答メッセージを前記ＭＭＥ又は前記ターゲットｅＮＢのゲートウェイに送信するように制御するプロセッサと、
を含み、
前記ターゲットｅＮＢのアクセスモードは、前記ＭＭＥ又は前記ゲートウェイにより、前記ハンドオーバー要求メッセージに前記ＣＳＧ  ＩＤが含まれているか否かに基づいて判断され、前記判断されたアクセスモードがＣＳＧに含まれているＵＥに対してアクセスすることを許可するモードである場合、前記ＣＳＧ  ＩＤが前記ターゲットｅＮＢに対して許可されたものであるか否かが検証されることを特徴とするターゲットｅＮＢ。
【請求項１２】
前記ＣＳＧ  ＩＤは、ターゲットセルがＣＳＧセル又はハイブリッドセルである場合、前記ハンドオーバー要求確認応答メッセージに含まれることを特徴とする請求項１１に記載のターゲットｅＮＢ。
【請求項１３】
無線通信システムのターゲットｅＮＢ（evolved node B）のゲートウェイであって、
データを送受信する送受信部と、
移動性管理エンティティ（ＭＭＥ）から受信されたターゲットｅＮＢのクローズド加入者グループ（ＣＳＧ）識別子（ＩＤ）を含むハンドオーバー要求メッセージを前記ターゲットｅＮＢに伝達し、前記ターゲットｅＮＢから前記ＣＳＧ  ＩＤを含むハンドオーバー要求確認応答メッセージを受信して、前期ハンドオーバー要求メッセージに前記ＣＳＧ  ＩＤが含まれているか否かに基づいて前記ターゲットｅＮＢのアクセスモードを判断し、前記判断されたアクセスモードがＣＳＧに含まれているＵＥに対してアクセスすることを許可するモードである場合に前記ＣＳＧ  ＩＤが前記ターゲットｅＮＢに対して許可されたものであるか否かを検証するプロセッサと、
を含むことを特徴とするターゲットｅＮＢのゲートウェイ。
【請求項１４】
前記検証を遂行した結果に基づき、前記ＵＥの前記ターゲットｅＮＢへのハンドオーバーが遂行されることを特徴とする請求項１３に記載のターゲットｅＮＢのゲートウェイ。
【発明の詳細な説明】
【技術分野】
【０００１】
本発明は無線通信システムにおけるハンドオーバーを遂行する方法及び装置に関するものである。
【背景技術】
【０００２】
現在の移動通信システムにおいて、ユーザーグループにより良いサービスを提供するために、クローズド加入者グループ(Closed  Subscriber  Group：ＣＳＧ）は、特定ユーザーグループに対して複数の無線リソース管理(Radio  Resource  Management：ＲＲＭ)エンティティ(すなわち、無線アクセスネットワークで無線リソース及びユーザーデバイスのアクセスを管理する多様な移動通信システムで基地局又はセルのようなネットワークエンティティ）を用いて形成されることが必要である。例えば、会社又は学校でのすべてのユーザーは、特定アクセスサービスを提供するためにＣＳＧを形成する。特定のユーザーグループに対して、ＣＳＧが、移動通信システムで複数のＲＲＭエンティティを用いて形成することは遍在されている。上記のような状況をより明確に説明するために、以下に、一例としてシステムアーキテクチャエボリューション(System  Architecture  Evolution：ＳＡＥ）のロングタームエボリューション(Long  Term  Evolution：ＬＴＥ）を考慮して説明する。
【０００３】
図１は、ＬＴＥシステムの構造を概略的に示す。図１に示すように、ＬＴＥシステムの無線アクセスネットワークにおいて、ＲＲＭエンティティは、ｅＮＢとＨｅＮＢ(Home  ｅＮＢ)を含む。無線アクセスネットワークは、選択的にＨｅＮＢゲートウェイ(ＧＷ)を含む。各ｅＮＢは、コアネットワークで移動性管理エンティティ(Mobile  Management  Entity：ＭＭＥ)と直接接続することができる。無線アクセスネットワークがＨｅＮＢ  ＧＷを含む場合、ＨｅＮＢは、ＨｅＮＢ  ＧＷを通じてＭＭＥと接続することが必要である。無線アクセスネットワークがＨｅＮＢ  ＧＷを含まない場合、ＨｅＮＢは、ＭＭＥと直接接続することができる。
【０００４】
上記のようなＬＴＥシステムのＲＲＭエンティティに対して、例えばＨｅＮＢを処理する、より多様なアクセスサービスを提供するために、従来の方法は、ＨｅＮＢのオープン、ハイブリッド、及びＣＳＧの複数のタイプを提供する。オープンＨｅＮＢは、オープンＨｅＮＢにアクセスする特定ユーザーグループを有せず、任意のユーザー端末(ＵＥ）はオープンＨｅＮＢにアクセスできる。ＣＳＧ  ＨｅＮＢは、上記した会社又は学校内のすべてのユーザーにより形成されるユーザーグループにより使用されるＨｅＮＢである。ＣＳＧ-ＨｅＮＢは、ＣＳＧ-ＨｅＮＢによりサービスされる特定ユーザーグループのＵＥのみに対してアクセスすることを許可する(説明の便宜上、特定ユーザーグループのＵＥをＣＳＧ  ＵＥと称する)。ハイブリッドＨｅＮＢは、他のＨｅＮＢとＣＳＧを形成してＣＳＧ  ＵＥがＣＳＧ  ＵＥにより良いアクセスサービスを提供する便宜のためにアクセスすることを許容するだけでなく、他の非ＣＳＧ  ＵＥ(該当ＣＳＧに属していないＵＥ）がアクセスすることも許可する。
【０００５】
上記のように、従来の移動通信システムにおいてＲＲＭエンティティに対するＣＳＧは、ＣＳＧ-ＨｅＮＢのようなＣＳＧ-ＲＲＭエンティティと、ハイブリッド-ＨｅＮＢのようなハイブリッド-ＲＭＭエンティティを提供するために複数のＲＲＭエンティティとともに形成されるだけでなく、より豊かなアクセスサービスを提供するためにも提供される。一方、ｅＮＢは、ＣＳＧ機能をサポートし、あるいはＣＳＧ機能をサポートする間にハイブリッドｅＮＢとして使用される。
【０００６】
ＨｅＮＢがＨｅＮＢ  ＧＷに登録する場合、ＨｅＮＢ  ＧＷは、ＨｅＮＢを検証せず、保安ゲートウェイ(Safe  Gateway：ＳｅＧＷ)のみがＨｅＮＢを検証する。このように、アタック(attack)ＨｅＮＢは、他のＨｅＮＢのＩＤを用いてアクセスされるＵＥの情報を盗聴できる。現在、ネットワークでこのようなＨｅＮＢアタックを防止できる方式は存在しない。したがって、３ＧＰＰは、ＨｅＮＢのＩＤ及びＨｅＮＢ  ＧＷ又はＭＭＥによりアクセスされるＵＥのメッセージの検証に対する要求を提示する。
【０００７】
特に、Ｓ１ハンドオーバー手順を通じてＨｅＮＢにアクセスするＵＥに対して、ＨｅＮＢにアクセスされるＵＥのメッセージを検証する方法が解決されていないという問題がある。
【発明の概要】
【発明が解決しようとする課題】
【０００８】
したがって、本発明は、上記した従来技術の問題点に鑑みてなされたものであって、その目的は、無線通信システムにおけるハンドオーバーを遂行する方法及び装置を提供することにある。
【０００９】
また、本発明の目的は、 ＨｅＮＢからのアタックによるオペレータのネットワークへの影響を避け、ネットワークにアクセスされるユーザーの安全性を保証できる、ＨｅＮＢを検証する方法及び装置を提供することにある。
【課題を解決するための手段】
【００１０】
上記のような目的を達成するために、本発明の技術的な構造は次のように遂行される。
【００１１】
ＨｅＮＢを検証するための方法は、移動性管理エンティティ(ＭＭＥ)によりソースｅＮＢから受信されたターゲットＨｅＮＢのアクセスモードをＨｅＮＢゲートウェイ(ＧＷ)に送信するステップと、ＨｅＮＢ  ＧＷによりターゲットＨｅＮＢのアクセスモードの有効性を検証するステップと、を有する。
【００１２】
ＭＭＥは、ＣＳＧ  ＩＤをＨｅＮＢ  ＧＷにより送信し、ターゲットセルがＣＳＧモードである場合にＨｅＮＢ  ＧＷは、ターゲットＨｅＮＢのＣＳＧ  ＩＤの有効性を検証することに注意すべきである。
【００１３】
ソースｅＮＢからＭＭＥに送信されるアクセスモード及び/又はＭＭＥからＨｅＮＢ  ＧＷに送信されるアクセスモードは、オープンモードを含み、ＨｅＮＢ  ＧＷはオープンモードでターゲットＨｅＮＢのアクセスモードの有効性を検証することに注意する。
【００１４】
ＨｅＮＢ  ＧＷは、ＭＭＥから受信したメッセージ内のアクセスモードとＣＳＧＩＤの不在によってターゲットセルがオープンモードに存在すると判定し、ＨｅＮＢ  ＧＷは、オープンモードでターゲットＨｅＮＢのアクセスモードの有効性を検証することに注意すべきである。
【００１５】
ＨｅＮＢ  ＧＷは、ＭＭＥから受信したメッセージ内のＣＳＧ  ＩＤとメンバーシップ状態によってターゲットセルがハイブリッドモードに存在すると判定し、ＨｅＮＢ  ＧＷは、ハイブリッドモードでターゲットＨｅＮＢのアクセスモードの有効性を検証することに注意する。本発明は、ＨｅＮＢを検証するためにもう一つの方法を提供し、これは、ターゲットＨｅＮＢによりハンドオーバー要求メッセージを受信するステップと、ターゲットＨｅＮＢによりターゲットＨｅＮＢのアクセスモードとＣＳＧ  ＩＤをターゲットＨｅＮＢの上位階層ノードに送信するステップと、ターゲットＨｅＮＢの上位階層ノードによりターゲットＨｅＮＢのアクセスモードの有効性を検証するステップと、アクセスモードがＣＳＧモードである場合にターゲットＨｅＮＢのＣＳＧ  ＩＤの有効性を検証するステップと、を有する。
ＨｅＮＢ  ＧＷが含まれる状況で、ターゲットＨｅＮＢの上位階層ノードは、ＨｅＮＢ  ＧＷであることに注意する。
ＨｅＮＢ  ＧＷが含まれない状況で、ターゲットＨｅＮＢの上位階層ノードは、ＭＭＥであることに注意する。
【００１６】
本発明は、ＨｅＮＢを検証するためにもう一つの方法を提供し、これは、ソースｅＮＢにより、ターゲットＨｅＮＢのアクセスモードとＣＳＧ  ＩＤを含む、ハンドオーバー要求メッセージをＭＭＥに送信するステップと、ＭＭＥによりターゲットＨｅＮＢのアクセスモードの有効性を検証するステップと、アクセスモードがＣＳＧモードである場合にターゲットＨｅＮＢのＣＳＧ  ＩＤの有効性を検証するステップと、を有する。
【００１７】
本発明は、ＨｅＮＢを検証するために他の方法を提供し、これは、ソースｅＮＢによりハンドオーバー要求メッセージをＭＭＥに送信するステップと、ＭＭＥによりハンドオーバー要求メッセージをＨｅＮＢ  ＧＷに送信するステップと、ＨｅＮＢ  ＧＷによりハンドオーバー要求メッセージをターゲットＨｅＮＢに送信するステップと、ターゲットＨｅＮＢによりハンドオーバー要求確認応答メッセージをＨｅＮＢ  ＧＷに送信するステップと、ここでターゲットセルがＣＳＧセル又はハイブリッドセルである場合、ターゲットＨｅＮＢは、ターゲットＨｅＮＢのＣＳＧ  ＩＤをハンドオーバー要求確認応答メッセージに含み、ハンドオーバー要求確認応答メッセージはターゲットセルのアクセスモードを含み、ＨｅＮＢ  ＧＷによりターゲットＨｅＮＢのアクセスモードの有効性を検証するステップと、ターゲットセルがＣＳＧセルである場合にターゲットＨｅＮＢのＣＳＧ  ＩＤの有効性を検証するステップと、ＨｅＮＢ  ＧＷによりハンドオーバー要求確認応答メッセージをＭＭＥに送信するステップと、ＭＭＥによりソースｅＮＢにハンドオーバー命令を送信するステップと、ソースｅＮＢによりハンドオーバー命令をＵＥに送信するステップと、を有する。
【００１８】
本発明は、ＨｅＮＢを検証するためにもう一つの方法を提供し、これは、ソースｅＮＢによりハンドオーバー要求メッセージをＭＭＥに送信するステップと、ＭＭＥによりハンドオーバー要求メッセージをターゲットＨｅＮＢに送信するステップと、ターゲットＨｅＮＢによりハンドオーバー要求確認応答メッセージをＭＭＥに送信するステップと、ここでターゲットセルがＣＳＧセル又はハイブリッドセルである場合にターゲットＨｅＮＢは、ターゲットＨｅＮＢのＣＳＧ  ＩＤをハンドオーバー要求確認応答メッセージに含み、ハンドオーバー要求確認応答メッセージは、ターゲットセルのアクセスモードを含み、ＨｅＮＢ  ＧＷが含まれない場合にＭＭＥによりターゲットＨｅＮＢのアクセスモードの有効性を検証するステップと、ターゲットセルがＣＳＧセルである場合に、ターゲットＨｅＮＢのＣＳＧ  ＩＤの有効性を検証するステップと、ＭＭＥによりソースｅＮＢにハンドオーバー命令を送信するステップと、ソースｅＮＢによりＵＥにハンドオーバー命令を送信するステップと、を有する。
【００１９】
技術方式から本発明の実施形態により提供されるＨｅＮＢを検証する方法が理解され、ＨｅＮＢからのアタックによりオペレータのネットワークが影響を受けることを避けることができ、ネットワークにアクセスされるユーザーの安全性を保証できることがわかる。
【００２０】
本発明の詳細な説明に先立ち、本明細書の全般で使われる用語や語句を定義することが好ましい。「〜含む(include)」、「〜からなる(comprise)」だけでなく、それらの派生語は限定のない包含を意味する。「または(or)」は及び/または(and/or)を含み、「〜に関連する(associated with)」、「それに関連する(associated therewith)」及びそれらの派生語句は、包含(include)、含まれる(be included within)、受容される(be contained within)、連結(connect to or with)、接続(couple to or with)、通信(be communication with)、協力(cooperate with)、相互配置(interleave)、並置(juxtapose)、近接(be approximate to)、結合(be bound to or with)、所有(have)、性質の所有(have a property of)、または類以(the like)を意味し、「制御器(controller)」は少なくとも一つの動作を制御する装置、システム、またはその部分を意味し、そのような装置は、ハードウェア、ファームウェア、ソフトウェア、またはこれらのうちの少なくとも二つの組み合わせで具現することができる。特定の用語及び語句は本明細書の全体で使用されるが、当業者は多くの場合に上述したような定義が過去だけでなく未来の使用にも適用されることを理解しなければならない。
【００２１】
本発明のより完全な理解及びそれに従う利点は、添付された図面との結合を考慮すれば、後述する詳細な説明を参照してより容易に理解でき、上記図面で同一の参照番号は同一の構成要素を示す。
【図面の簡単な説明】
【００２２】
【図１】ＬＴＥシステムの構造を概略的に示す図である。
【図２】本発明の多様な実施形態によるＨｅＮＢを検証するための第１の実施形態を示すプロセスのフロー図である。
【図３】本発明の多様な実施形態によるＨｅＮＢを検証するための第２の実施形態を示すプロセスのフロー図である。
【図４】本発明の多様な実施形態によるＨｅＮＢを検証するための第３の実施形態を示すプロセスのフロー図である。
【図５】本発明の多様な実施形態によるＨｅＮＢを検証するための第４の実施形態を示すプロセスのフロー図である。
【図６】本発明の多様な実施形態によるＨｅＮＢを検証するための第５の実施形態を示すプロセスのフロー図である。
【図７】本発明の多様な実施形態によるＨｅＮＢを検証するための第６の実施形態を示すプロセスのフロー図である。
【発明を実施するための形態】
【００２３】
以下、本発明の望ましい実施形態を添付の図面を参照して詳細に説明する。
【００２４】
後述される図１〜図７及び、本発明の原理を説明するために使用される多様な実施形態は、単にその実施例を示すものに過ぎず、本発明の範囲を限定するものとして捉えてはならない。本発明の原理が適切に配列されたシステム又はデバイスで実現できることは、当該技術分野で通常の知識を有する者には明らかである。
【００２５】
＜第１の実施形態＞
図２は、ＨｅＮＢを検証するための本発明の第１の実施形態を示す。この実施形態において、ＨｅＮＢ  ＧＷが含まれ、ＨｅＮＢは、ＨｅＮＢ  ＧＷを介してコアネットワークにアクセスする。本発明の第１の実施形態では、ＨｅＮＢ  ＧＷは、ＭＭＥから受信されたターゲットＨｅＮＢの情報によりＨｅＮＢを検証する。本発明の第１の実施形態は、次に具体的に説明する。簡潔さのために、ＨｅＮＢを検証するために存在あり得る追加的ステップは、ここでは詳細に説明しない。
ステップ２０１において、ＵＥは、ソースｅＮＢに測定レポートを送信する。
この測定レポートは、測定セルの物理セル識別子(Physical  Cell  Identity：ＰＣＩ)を含むことができる。
ステップ２０２において、ソースｅＮＢは、セルのシステム情報(ＳＩ)要求及びＵＥにより実行された特定ＰＣＩに対応するレポートを構成する。
【００２６】
ステップ２０３において、ターゲットＨｅＮＢは、ターゲットＨｅＮＢにより制御されるセルのセルＩＤ、トラッキング領域識別子(Tacking  Area  Identity：ＴＡＩ)、及びＣＳＧ  ＩＤをブロードキャスティングする。
ステップ２０４において、ＵＥは、ソースｅＮＢに測定レポートを送信する。
ＵＥは、自動ギャップを通じてターゲットＨｅＮＢの関連システム情報を獲得する。
【００２７】
測定レポートは、ターゲットＨｅＮＢのＥ-ＵＴＲＡＮセルグローバル識別子(ＥＣＧＩ)、トラッキング領域コード(ＴＡＣ)、ＣＳＧ  ＩＤ、及びメンバー指示子(member  indication)を含む。
ステップ２０５において、ソースｅＮＢは、ＭＭＥにハンドオーバー要求メッセージを送信する。
【００２８】
ハンドオーバー要求メッセージは、ターゲットＨｅＮＢセルのＥＣＧＩ及びＣＳＧ  ＩＤを含む。また、ターゲットセルがハイブリッドアクセスモードに存在する場合、ハンドオーバー要求メッセージは、セルのアクセスモードがハイブリッドモードであることを表す情報をさらに含む。ターゲットセルがオープンアクセスモードにある場合、ハンドオーバー要求メッセージは、セルのアクセスモードがオープンモードであることを表す情報をさらに含む。この場合、該当ＣＳＩ  ＩＤは、搬送されない。一方、ターゲットＨｅＮＢがオープンモードにある場合、アクセスモードは搬送される必要がない。ステップ２０８で、ＭＭＥは、ターゲットＨｅＮＢがアクセスモード、ＣＳＧ  ＩＤの不在、ターゲットｅＮＢ  ＩＤが２８ビットであることを表す情報によりオープンモードにあると判定し、ターゲットＨｅＮＢのアクセスモードを検証する。
ステップ２０６において、ＭＭＥは、受信されたＣＳＧ  ＩＤ及びＵＥの保存された加入ＣＳＧ情報によってＵＥに対するアクセス制御を遂行する。
【００２９】
このステップで、アクセス制御が失敗する場合、ＭＭＥは、ハンドオーバープロセスを終了するためにソースｅＮＢにハンドオーバー準備失敗メッセージを送信する。そして、ハンドオーバー要求メッセージがアクセスモードがハイブリッドモードにあることを表す情報を含む場合、ＭＭＥは、ＵＥのメンバーシップ状態(membership  status)を決定し、このメンバーシップ状態をハンドオーバー要求メッセージを通じてターゲットＨｅＮＢに送信する。
ステップ２０７において、ＭＭＥは、ターゲットＧＷにハンドオーバー要求メッセージを送信する。
【００３０】
ハンドオーバー要求メッセージは、ＣＳＧ  ＩＤを含む。ターゲットセルがハイブリッドアクセスモードに存在する場合、ハンドオーバー要求メッセージは、ＣＳＧメンバー指示子をさらに含む。また、ハンドオーバー要求メッセージは、アクセスモードを含む。アクセスモードは、ハイブリッドモードを含むことができる。アクセスモードはオープンモードをさらに含み、ＣＳＧ  ＩＤはこの場合に含まれない。一方、ターゲットＨｅＮＢがオープンモードにある場合、ＭＭＥから送信されるハンドオーバー要求メッセージは、アクセスモード及びＣＳＧ  ＩＤを搬送しないことがある。ステップ２０８で、ＨｅＮＢ  ＧＷは、ターゲットＨｅＮＢがアクセスモード及びＣＳＧ  ＩＤの不在によりオープンモードにあると判定し、オープンモードでターゲットＨｅＮＢのアクセスモードを検証する。
【００３１】
また、ステップ２０８において、ＨｅＮＢ  ＧＷは、ハンドオーバー要求メッセージを通じて情報エレメントアクセスモードを伝送できず、ＣＳＧ  ＩＤ及びメンバーシップ状態がハンドオーバー要求メッセージに存在しない場合、ターゲットＨｅＮＢセルがＣＳＧモードに存在すると判定する。ＨｅＮＢ  ＧＷは、ＣＳＧ  ＩＤ及びメンバーシップ状態によってターゲットＨｅＮＢセルがハイブリッドモードに存在すると判定し、ＣＳＧ  ＩＤの不在及びメンバーシップ状態によってターゲットＨｅＮＢセルがオープンモードに存在すると判定し、ターゲットＨｅＮＢのアクセスモードの有効性を検証できる。
【００３２】
ステップ２０８において、ＨｅＮＢ  ＧＷは、ターゲットＨｅＮＢのアクセスモードが有効であると検証する。ターゲットセルがＣＳＧセルである場合、ＨｅＮＢ  ＧＷは、ターゲットＨｅＮＢのＣＳＧ  ＩＤが有効であると検証する。
ステップ２０９で、ＨｅＮＢ  ＧＷは、ターゲットＨｅＮＢにハンドオーバー要求メッセージを送信する。
ステップ２１０で、ターゲットＨｅＮＢは、ＨｅＮＢ  ＧＷにハンドオーバー要求確認応答メッセージを送信する。
ステップ２１１で、ＨｅＮＢ  ＧＷは、ＭＭＥにハンドオーバー要求確認応答メッセージを送信する。
ステップ２１２で、ＭＭＥは、ソースｅＮＢにハンドオーバーコマンドメッセージを送信する。
ステップ２１３で、ソースｅＮＢは、ＵＥにハンドオーバーコマンドメッセージを送信する。
ここまで、本発明の第１の実施形態の全体動作手順に関する説明を終了する。
【００３３】
＜第２の実施形態＞
図３は、ＨｅＮＢを検証するための本発明の第２の実施形態を示す。本発明の第２の実施形態では、無線通信システムにＨｅＮＢ  ＧＷが含まれない。この実施形態では、ＭＭＥは、ソースｅＮＢから受信された情報に従ってＨｅＮＢを検証する。この実施形態については、以下に詳細に説明する。簡潔さのため、ＨｅＮＢを検証するために存在する追加的なステップは、ここで詳細には説明しない。
ステップ３０１において、ＵＥは、ソースｅＮＢに測定レポートを送信する。
この測定レポートは、測定セルのＰＣＩが含むことができる。
【００３４】
ステップ３０２で、ソースｅＮＢは、セルのＳＩ(System Information)要求及びＵＥにより実行される特定ＰＣＩに対応するレポートを含む再構成情報をＵＥに送信する。
【００３５】
ステップ３０３において、ターゲットＨｅＮＢは、ターゲットＨｅＮＢにより制御されるセルのセルＩＤと、ＴＡＩ及びＣＳＧ  ＩＤをブロードキャスティングする。
ステップ３０４において、ＵＥは、ソースｅＮＢに測定レポートを送信する。
ＵＥは、自動ギャップを通じてターゲットＨｅＮＢの関連システム情報を獲得する。
【００３６】
測定レポートは、ターゲットＨｅＮＢのＥＣＧＩ(E-UTRAN Cell Global  Identifier)、ＴＡＣ、ＣＳＧ  ＩＤ、及びメンバー指示子を含む。
ステップ３０５において、ソースｅＮＢは、ＭＭＥにハンドオーバー要求メッセージを送信する。
【００３７】
このハンドオーバー要求メッセージは、ターゲットＨｅＮＢセルのＥＣＧＩ及びＣＳＧ  ＩＤを含む。また、ターゲットセルがハイブリッドアクセスモードに存在する場合、ハンドオーバー要求メッセージは、セルのアクセスモードがハイブリッドモードであることを表す情報をさらに含む。ターゲットセルがオープンアクセスモードに存在する場合、ハンドオーバー要求メッセージは、セルアクセスモードがオープンモードであることを表す情報をさらに含む。この場合、対応するＣＳＩ  ＩＤは、ハンドオーバー要求メッセージには含まれない。一方、ターゲットＨｅＮＢがオープンモードに存在する場合、ハンドオーバー要求メッセージは、アクセスモード及びＣＳＧ  ＩＤを含めないことがある。ステップ３０７において、ＭＭＥは、ターゲットＨｅＮＢがアクセスモード」と、ＣＳＧ  ＩＤの不在、及びターゲットＥＮＢのＩＤが２８ビットのＨｅＮＢ  ＩＤであることを表す情報によって、オープンモードに存在すると判定し、オープンモードでターゲットＨｅＮＢのアクセスモードを検証する。
ステップ３０６で、ＭＭＥは、受信されたＣＳＧ  ＩＤとＵＥの格納された加入ＣＳＧ情報によってＵＥに対するアクセス制御を遂行する。
【００３８】
このステップで、アクセス制御が失敗する場合、ＭＭＥは、ハンドオーバープロセスを終了させるためにソースｅＮＢにハンドオーバー準備失敗メッセージを送信できる。そして、ハンドオーバー要求メッセージがアクセスモードがハイブリッドモードであることを示す情報を含む場合、ＭＭＥは、ＵＥのメンバーシップ状態を決定し、メンバーシップ状態をハンドオーバー要求メッセージに含めてターゲットＨｅＮＢに送信できる。
【００３９】
ステップ３０７で、ＭＭＥは、ターゲットＨｅＮＢのアクセスモードが有効であることを検証する。ターゲットセルがＣＳＧセルである場合、ＭＭＥは、ターゲットＨｅＮＢのＣＳＧ  ＩＤが有効であることを検証する。
ステップ３０６及び３０７が遂行される順序は絶対的でなく、変更され得る。
【００４０】
ステップ３０８で、ＭＭＥは、ターゲットＨｅＮＢにハンドオーバー要求メッセージを送信する。ハンドオーバー要求メッセージは、ＣＳＧ  ＩＤを含む。ターゲットセルがハイブリッドアクセスモードに存在する場合、ハンドオーバー要求メッセージは、ＣＳＧメンバー指示子をさらに含むことができる。
ステップ３０９で、ターゲットＨｅＮＢは、ＭＭＥにハンドオーバー要求確認応答メッセージを送信する。
ステップ３１０において、ＭＭＥは、ソースｅＮＢにハンドオーバーコマンドメッセージを送信する。
ステップ３１１で、ソースｅＮＢは、ＵＥにハンドオーバーコマンドメッセージを送信する。
ここまで、本発明の第２の実施形態の全体動作手順に関する説明を終了する。
【００４１】
＜第３の実施形態＞
図４は、ＨｅＮＢを検証するための本発明の第３の実施形態を示す。本発明の第３の実施形態では、無線通信システムにＨｅＮＢ  ＧＷが含まれ、ＨｅＮＢは、ＨｅＮＢ  ＧＷを通じてコアネットワークにアクセスする。この実施形態において、ＨｅＮＢ  ＧＷは、ターゲットＨｅＮＢから受信された情報によってＨｅＮＢを検証する。次に、この実施形態について具体的に説明する。簡潔さのために、ＨｅＮＢを検証するために存在できる追加的な段階は、ここでは詳細に説明しない。
ステップ４０１〜４０４は、ステップ２０１〜２０４と同一なので、ここでは反復しない。
【００４２】
ステップ４０５で、ソースｅＮＢは、ＭＭＥにハンドオーバー要求メッセージを送信する。ハンドオーバー要求メッセージは、ターゲットＨｅＮＢセルのＥＣＧＩ及びＣＳＧ  ＩＤを含む。また、ターゲットセルがハイブリッドアクセスモードに存在する場合、ハンドオーバー要求メッセージは、ターゲットセルのアクセスモードがハイブリッドモードであることを表す情報をさらに含む。
ステップ４０６で、ＭＭＥは、受信されたＣＳＧ  ＩＤ及びＵＥの格納された加入ＣＳＧ情報によってＵＥに対するアクセス制御を遂行する。
【００４３】
このステップで、ＭＭＥは、アクセス制御に失敗した場合、ハンドオーバープロセスを終了するためにソースｅＮＢにハンドオーバー準備失敗メッセージを送信できる。ハンドオーバー要求メッセージは、アクセスモードがハイブリッドモードであることを示す情報を含む場合、ＭＭＥは、ＵＥのメンバーシップ状態を決定し、このメンバーシップ状態をハンドオーバー要求メッセージに含めてターゲットＨｅＮＢに送信できる。
ステップ４０７で、ＭＭＥは、ターゲットＧＷにハンドオーバー要求メッセージを送信する。
【００４４】
ハンドオーバー要求メッセージは、ＣＳＧ  ＩＤを含む。ターゲットセルがハイブリッドアクセスモードに存在する場合、ハンドオーバー要求メッセージは、ＣＳＧメンバー指示子を含む。
ステップ４０８で、ＨｅＮＢ  ＧＷは、ＨｅＮＢにハンドオーバー要求メッセージを送信する。
【００４５】
ステップ４０９において、ターゲットＨｅＮＢは、ＨｅＮＢ  ＧＷにハンドオーバー要求確認応答メッセージを送信する。ハンドオーバー要求確認応答メッセージは、ターゲットＨｅＮＢセルのアクセスモードを含む。ターゲットＨｅＮＢセルがＣＳＧのタイプ又はハイブリッドのタイプである場合、ハンドオーバー要求メッセージは、ＣＳＧ  ＩＤをさらに含む。アクセスモードは、ハイブリッドアクセスモードを含むことができる。アクセスモードは、オープンモードをさらに含むことができる。アクセスモードがオープンモードである場合、対応するＣＳＧ  ＩＤは含まれない。一方、ターゲットＨｅＮＢがオープンモードである場合、ターゲットＨｅＮＢは、アクセスモード及びＣＳＧ  ＩＤを含めない。ステップ４１０で、ＨｅＮＢ  ＧＷは、アクセスモードの不在及びＣＳＧ  ＩＤによってターゲットＨｅＮＢがオープンモードに存在すると判定し、オープンモードでターゲットＨｅＮＢのアクセスモードを検証する。
【００４６】
ステップ４１０において、ＨｅＮＢ  ＧＷは、ターゲットＨｅＮＢのアクセスモードが有効であると判定する。ターゲットセルがＣＳＧセルである場合、ＨｅＮＢ  ＧＷは、ターゲットＨｅＮＢセルのＣＳＧ  ＩＤが有効であることを検証する。
ステップ４１１〜４１３は、図２のステップ２１１〜２１３の説明と同様に遂行されるため、ここでは簡潔さのためにその説明を省略する。
ここまで、本発明の第３の実施形態の全体動作手順に関する説明を終了する。
【００４７】
＜第４の実施形態＞
ＨｅＮＢを検証するための本発明の第４の実施形態について、図５に示す。この実施形態では、ＨｅＮＢ  ＧＷは含まれない。本発明の実施形態において、ＭＭＥは、ターゲットｅＮＢから受信した情報によってＨｅＮＢを検証する。この実施形態については、以下に詳細に説明する。簡潔さのために、ここでは、ＨｅＮＢを検証するために存在できる追加ステップについては説明しない。
ステップ５０１〜５０４は、ステップ３０１〜３０４の説明と同様に遂行されるため、ここでは簡潔さのためにその詳細な説明を省略する。
ステップ５０５において、ソースｅＮＢは、ＭＭＥにハンドオーバー要求メッセージを送信する。
【００４８】
ハンドオーバー要求メッセージは、ターゲットＨｅＮＢセルのＥＣＧＩ及びＣＳＧ  ＩＤを含む。さらに、ターゲットセルがハイブリッドアクセスモードである場合、ハンドオーバー要求メッセージは、セルのアクセスモードがハイブリッドモードであることを表す情報をさらに含む。
ステップ５０６において、ＭＭＥは、受信されたＣＳＧ  ＩＤ及びＵＥの格納されている加入ＣＳＧ情報によってＵＥに対するアクセス制御を遂行する。
【００４９】
このステップで、ＭＭＥは、アクセス制御に失敗した場合、ハンドオーバープロセスを終了させるためにソースｅＮＢにハンドオーバー準備失敗メッセージを送信できる。
【００５０】
ハンドオーバー要求メッセージは、アクセスモードがハイブリッドモードであることを表す情報を含む場合、ＭＭＥは、ＵＥのメンバーシップ状態を決定し、このメンバーシップ状態をハンドオーバー要求メッセージに含めてターゲットＨｅＮＢに送信することができる。
ステップ５０７において、ＭＭＥは、ターゲットＨｅＮＢにハンドオーバー要求メッセージを送信する。
【００５１】
ハンドオーバー要求メッセージは、ＣＳＧ  ＩＤを含む。ターゲットセルがハイブリッドアクセスモードに存在する場合、ハンドオーバー要求メッセージは、ＣＳＧメンバー指示子をさらに含む。
【００５２】
ステップ５０８において、ターゲットＨｅＮＢは、ＭＭＥにハンドオーバー要求確認応答メッセージを送信する。ハンドオーバー要求確認応答メッセージは、ターゲットＨｅＮＢセルのアクセスモードを含む。ターゲットＨｅＮＢセルがＣＳＧのタイプ又はハイブリッドのタイプである場合、ハンドオーバー要求確認応答メッセージは、ＣＳＧ  ＩＤをさらに含む。アクセスモードは、ハイブリッドアクセスモードを含む。アクセスモードは、オープンモードをさらに含むことができる。アクセスモードがオープンモードである場合、対応するＣＳＧ  ＩＤは含まれない。これとは異なり、ターゲットＨｅＮＢがオープンモードである場合、ターゲットＨｅＮＢは、アクセスモード及びＣＳＧ  ＩＤを含む必要はない。ステップ５０９において、ＭＭＥは、アクセスモードの不在及びＣＳＧ  ＩＤと、ターゲットｅＮＢのＩＤが２８ビットのＨｅＮＢ  ＩＤである情報によってオープンモードでターゲットＨｅＮＢのアクセスモードを検証する。
【００５３】
ステップ５０９において、ＭＭＥは、ターゲットＨｅＮＢのアクセスモードが有効であることを検証する。ターゲットセルがＣＳＧセルである場合、ＭＭＥは、ターゲットＨｅＮＢのＣＳＧ  ＩＤが有効であることを検証する。
ステップ５１０〜５１１は、ステップ３１０〜３１１と同一なので、その詳細な説明は反復しない。
ここまで、本発明の第４の実施形態の全体動作手順に関する説明を終了する。
【００５４】
＜第５の実施形態＞
ＨｅＮＢを検証するための本発明の第５の実施形態が図６に示す。本発明の実施形態では、ＵＥが初期にＨｅＮＢにアクセスするプロセスで、ＨｅＮＢ  ＧＷ又はＭＭＥがＨｅＮＢから受信される情報に従ってＨｅＮＢを検証する。本発明の実施形態は、以下に詳細に説明される。簡潔さのために、ＨｅＮＢを検証するために存在できる追加的なステップは、ここでは詳細に説明しない。
【００５５】
ステップ６０１において、ＵＥは、接続メッセージ又はＴＡアップデート要求メッセージのようなＮＡＳメッセージをＨｅＮＢに送信する。このステップで、ＵＥは、ＵＬ情報送信又はＲＲＣ接続設定を通じてＨｅＮＢにＵＬ  ＮＡＳメッセージを送信できる。
【００５６】
ステップ６０２において、ＨｅＮＢは、ＨｅＮＢ  ＧＷ又はＭＭＥに初期ＵＥメッセージを送信する。初期ＵＥメッセージは、ＵＥから受信したＮＡＳメッセージを含むことができる。ＨｅＮＢ  ＧＷが存在する状況で、初期ＵＥメッセージは、まずＨｅＮＢ  ＧＷに送信され、その後にＨｅＮＢ  ＧＷを介してＭＭＥに送信できる。ＨｅＮＢ  ＧＷが存在しない状況で、初期ＵＥメッセージは、ＭＭＥに直接送信できる。
【００５７】
初期ＵＥメッセージは、ＨｅＮＢセルのＣＳＧ  ＩＤを含む。また、ＨｅＮＢセルがハイブリッドアクセスモードに存在する場合、初期ＵＥメッセージは、ＨｅＮＢセルのアクセスモードがハイブリッドモードであることを表す情報をさらに含む。ターゲットセルがオープンアクセスモードに存在する場合、初期ＵＥメッセージは、セルアクセスモードがオープンモードであることを表す情報をさらに含むことができる。この場合、対応するＣＳＧ  ＩＤは含まれないことがある。一方、ＨｅＮＢがオープンモードに存在する場合、ＨｅＮＢは、アクセスモード及びＣＳＧ  ＩＤを含めない。ＨｅＮＢ  ＧＷは、アクセスモード及びＣＳＤ  ＩＤの不在によってターゲットＨｅＮＢがオープンモードに存在すると判定する。ステップ６０３において、ＨｅＮＢ  ＧＷが存在しない状況で、ＭＭＥは、アクセスモードと、ＣＳＤ  ＩＤの不在及びｅＮＢのＩＤが２８ビットのＨｅＮＢ  ＩＤであることを表す情報によってＨｅＮＢがオープンモードに存在すると判定し、オープンモードでターゲットＨｅＮＢのアクセスモードを検証する。
【００５８】
ステップ６０３において、ＨｅＮＢ  ＧＷ又はＭＭＥは、ターゲットＨｅＮＢのアクセスモードが有効であることを検証する。ターゲットセルがＣＳＧセルである場合、ＨｅＮＢ  ＧＷ又はＭＭＥは、ターゲットＨｅＮＢセルのＣＳＧ  ＩＤが有効であることを検証する。
【００５９】
ＨｅＮＢ  ＧＷが存在する状況で、上記のような検証は、ＨｅＮＢ  ＧＷにより遂行される。ＨｅＮＢ  ＧＷが存在しない状況で、上記のような検証は、ＭＭＥにより遂行される。
ＨｅＮＢ  ＧＷが存在する状況で、ＨｅＮＢ  ＧＷは、初期ＵＥメッセージをＭＭＥに送信する。
ステップ６０４において、他のプロセスは、既存のプロセスと同一なので、その詳細な説明を省略する。
ここまで、本発明の第５の実施形態の全体動作手順に関する説明を終了する。
【００６０】
＜第６の実施形態＞
ＨｅＮＢを検証するための本発明の第６の実施形態について、図７に示す。本発明の実施形態では、ＵＥがＸ２ハンドオーバーを通じてＨｅＮＢにアクセスするプロセスで、ＨｅＮＢ  ＧＷ又はＭＭＥは、ＨｅＮＢから受信した情報によってＨｅＮＢを検証する。本発明の実施形態について、以下に詳細に説明する。簡潔さのために、ＨｅＮＢを検証するために存在できる追加的ステップは、ここでは詳細に説明しない。
ステップ７０１において、ｅＮＢは、ＨｅＮＢにハンドオーバー要求メッセージを送信する。
ステップ７０２において、ＨｅＮＢは、ｅＮＢにハンドオーバー要求確認応答メッセージを送信する。
ステップ７０３において、ｅＮＢは、ＵＥにＲＲＣ接続再構成メッセージを送信する。
ステップ７０４において、ＵＥは、ＨｅＮＢにＲＲＣ接続再構成完了メッセージを送信する。
【００６１】
ステップ７０５において、ＨｅＮＢは、ＨｅＮＢ  ＧＷ又はＭＭＥに経路ハンドオーバー要求メッセージを送信する。ＨｅＮＢ  ＧＷが存在する状況で、経路ハンドオーバー要求メッセージは、ＨｅＮＢ  ＧＷに送信され、その後にＨｅＮＢ  ＧＷを通じてＭＭＥに送信できる。ＨｅＮＢ  ＧＷが存在しない状況で、経路ハンドオーバー要求メッセージは、ＭＭＥに直接送信され得る。
【００６２】
経路ハンドオーバー要求メッセージは、ＨｅＮＢセルのＣＳＧ  ＩＤを含む。また、経路ハンドオーバー要求メッセージは、ＨｅＮＢセルがハイブリッドアクセスモードに存在する場合、ＨｅＮＢセルのアクセスモードがハイブリッドモードであることを表す情報を含む。ＨｅＮＢセルがオープンアクセスモードに存在する場合、経路ハンドオーバー要求メッセージは、ＨｅＮＢセルのアクセスモードがオープンモードであることを表す情報を含むことができる。この場合、対応するＣＳＧ  ＩＤは含まれないことがある。
【００６３】
これとは異なり、ＨｅＮＢがオープンモードに存在する場合、ＨｅＮＢは、アクセスモード及びＣＳＧ  ＩＤを含む必要がない。ＨｅＮＢ  ＧＷは、アクセスモード及びＣＳＧ  ＩＤの不在によってターゲットＨｅＮＢがオープンモードに存在すると判定する。ステップ７０６で、ＨｅＮＢ  ＧＷが存在しない状況で、ＭＭＥは、アクセスモード、ＣＳＧ  ＩＤの不在、及びｅＮＢのＩＤが２８ビットのＨｅＮＢ  ＩＤを表す情報に従ってＨｅＮＢがオープンモードに存在すると判定し、オープンモードでＨｅＮＢのアクセスモードを検証する。
【００６４】
ステップ７０６で、ＨｅＮＢ  ＧＷ又はＭＭＥは、ターゲットＨｅＮＢのアクセスモードが有効であることを検証する。ターゲットセルがＣＳＧセルである場合、ＨｅＮＢ  ＧＷ又はＭＭＥは、ターゲットＨｅＮＢセルのＣＳＧ  ＩＤが有効であることを検証する。
【００６５】
ＨｅＮＢ  ＧＷが存在する状況で、上記のような検証は、ＨｅＮＢ  ＧＷにより遂行できる。ＨｅＮＢ  ＧＷが存在しない状況で、上記のような検証は、ＭＭＥにより遂行され得る。
ＨｅＮＢ  ＧＷが存在する状況で、ＨｅＮＢ  ＧＷは、経路ハンドオーバー要求をＭＭＥに送信する。
【００６６】
ステップ７０７において、ＨｅＮＢは、経路ハンドオーバー要求確認応答メッセージを受信する。ＨｅＮＢ  ＧＷが存在しない状況で、経路ハンドオーバー要求確認応答メッセージは、ＭＭＥからＨｅＮＢに送信される。ＨｅＮＢ  ＧＷが存在する状況で、経路ハンドオーバー要求確認応答メッセージは、ＭＭＥからＨｅＮＢ  ＧＷを通じてＨｅＮＢに送信される。
ステップ７０８で、ＨｅＮＢは、ｅＮＢにＵＥコンテキストを解除するためのメッセージを送信する。
ここまで、本発明の第６の実施形態の全体動作手順に関する説明を終了する。
【００６７】
＜第７の実施形態＞
ＨｅＮＢを検証するための本発明の第７の実施形態について、次に説明する。ＵＥがＳ１ハンドオーバーを通じてＨｅＮＢにアクセスするプロセスにおいて、ＨｅＮＢ  ＧＷが存在する状況で、ＨｅＮＢ  ＧＷは、ＨｅＮＢを２回検証する。第１の検証は、本発明の第１の実施形態、すなわち図２で説明した検証と同一である。ＨｅＮＢ  ＧＷは、この検証を通じて可能な限り速くＵＥにより生成されるｅＮＢに対するアクセス及びアタックを終了するために、ＭＭＥから受信された情報に従ってＨｅＮＢを検証する。第２の検証は、ＵＥがソースｅＮＢにエラー情報を提供することを避けるためであり、本発明の第３の実施形態、すなわち図４で説明した検証と同一である。ＨｅＮＢ  ＧＷは、第１の検証でＵＥから受信した情報が正確であることを保証するために、ターゲットＨｅＮＢから送信した情報に従ってＨｅＮＢを検証する。上記した検証を通じて、検証が可能な限り速く遂行されることが保証されることに基づいて不完全な検証は避けるようになる。
【００６８】
同様に、ＨｅＮＢ  ＧＷが存在しない状況で、ＵＥがＳ１ハンドオーバーを介してＨｅＮＢにアクセスするプロセスにおいて、ＭＭＥは、ＨｅＮＢを２回検証する。第１の検証は、本発明の第２の実施形態、すなわち図３で説明した検証と同一である。ＭＭＥは、この検証を通じて可能なかぎり速くＵＥにより生成されるｅＮＢに対するアクセス及びアタックを終了させるためにソースｅＮＢから受信した情報によってＨｅＮＢを検証する。
【００６９】
第２の検証は、ＵＥがソースｅＮＢにエラー情報を提供することを避けるためであり、本発明の第４の実施形態、すなわち図５で説明した検証と同一である。ＭＭＥは、第１の検証でＵＥから受信した情報が正確であることを保証するためにターゲットＨｅＮＢから送信される情報に従ってＨｅＮＢを検証する。上記したような検証を通じて、検証が可能なかぎり速く遂行されることが保証されることに基づいて不完全な検証は避けるようになる。
ここまで、本発明の第７の実施形態の全体動作手順に関する説明を終了する。
【００７０】
上記のような側面で、本発明の実施形態により提供されるＨｅＮＢを検証する方法は、ＨｅＮＢからのアタックによるオペレータのネットワークに影響を与えることを避けることができ、オペレータのネットワークにアクセスされるユーザーの安全性を保証できる。
【００７１】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図１】
0006513569.tif 000002
【図２】
0006513569.tif 000003
【図３】
0006513569.tif 000004
【図４】
0006513569.tif 000005
【図５】
0006513569.tif 000006
【図６】
0006513569.tif 000007
【図７】
0006513569.tif 000008